(57)【要約】      （修正有）【課題】より明るく優美で気持ち良く観賞できる造花フラワー付き植木を提供する。【解決手段】土地に植えた高さ５ｍの以下の植木２の主枝から分かれれた細い側枝の先端部３などに、取付用の細い針金５を有する綺麗な造花フラワー４１、４２を、結束具６で取り付けた造花フラワー付き植木１である。【選択図】図１
0003206374.tif 000002
【実用新案登録請求の範囲】
【請求項１】
高さが５ｍ以下の常緑植物の植木又は落葉植物の植木を土地に人工的に植えた観賞の植木において、該植木の主枝から分かれた細い側枝の先端部に、取付用の細い針金を有する綺麗な造花フラワーを、結束具で複数箇所に取り付けた造花フラワー付き植木。
【請求項２】
高さが５ｍ以下の常緑植物の植木又は落葉植物の植木を土地に人工的に植えた観賞の植木において、該植木の主枝から分かれた細い側枝の先端部と植木の主枝とに、取付用の細い針金を有する綺麗な造花フラワーを、結束具で複数箇所に取り付けた造花フラワー付き植木。
【請求項３】
高さが５ｍ以下の常緑植物の植木又は落葉植物の植木を土地に人工的に植えた観賞の植木において、該植木の主枝から分かれた細い側枝の先端部と植木の主枝と植木の幹部とに、取付用の細い針金を有する綺麗な造花フラワーを、結束具で複数箇所に取り付けた造花フラワー付き植木。
【請求項４】
結束具が、縄または紐である請求項１乃至請求項３である造花フラワー付き植木。
【請求項５】
結束具が、細い針金線又は周囲を着色した細い針金線である請求項１乃至請求項３である造花フラワー付き植木。
【請求項６】
結束具が、着色の金属製薄い帯状の結束帯である請求項１乃至請求項３である造花フラワー付き植木。
【考案の詳細な説明】
【技術分野】
【０００１】    この考案は、常緑植物等の植木に、綺麗な造花フラワーを、結束などして取り付けた造花フラワー付き植木に係るものである。
【背景技術】
【０００２】    従来は、家の庭、公園などの空き地に景観を良くするために、高さが低い観葉植木等の植木を、空き地の土地に、植えた木（地植え木）がある。【０００３】  従来の幹部３８と主枝３３１と細い側部３３２と葉３２からなる常緑植木３１では、図５に図示のように、主に葉３２だけを観賞するだけであり、落葉植木４１では、図６に図示のように、葉が落ちると、枯れ植木のように植木の幹部４８と主枝４３１と細い側部４３２だけを観賞するだけである。
【考案の概要】
【考案が解決しようとする課題】
【０００４】  この従来の常緑植木等は、葉だけを観賞するだけであるために、より明るく優美に観賞をすることができ難いという問題点があったし、常緑植木は花を付けるものもあるが、花期が終われば葉だけになり、より明るく優美に観賞することが難いという問題点があった。
そして、より明るく優美で気持ち良く観賞できる植木の実現が要望されている。【０００５】  この考案は、従来の常緑植木などが有するこれらの問題点を解消することであるとともにこの観賞者の要望に応えられることである。
【課題を解決するための手段】
【０００６】  高さが５ｍ以下の植木の主枝から分かれた細い側枝の先端部などに、取付用の細い針金を有する綺麗な造花フラワーを、結束具で取り付けた造花フラワー付き植木である。
【考案の効果】
【０００７】  この考案の造花フラワー付き植木は、高さが５ｍ以下の植木の主枝から分かれた細い側枝の先端部に、取付用の細い針金を有する綺麗な造花フラワーを、結束具で複数箇所に取り付けた造花フラワー付き植木であるから、観賞者は、高さが５ｍ以下と低い造花フラワー付き植木の細い側枝に取り付けた造花フラワーと植木の葉とを、観賞者が見る目線の高さであるために観賞し易いとともにより明るく優美で気持ち良く観賞することができるし、このように観賞者がより明るく優美で気持ち良く観賞することができるために、観賞者の要望に対しても応えられるという効果ある。
そして、落葉植木では、植木から葉が落ちた後にも植木に綺麗な造花フラワーが取り付けられているために、観賞者は、明るく優美で気持ち良く長期間観賞することができる。
また、造花フラワーは造花であるために、観賞者などが季節に合わせてたり、好みに合わせたりなどして結束具を取外すことにより古い造花フラワーを植木の細い側枝などより取外し、新しい造花フラワーを結束具とともに植木の細い側枝などに取付けて交換することにより、観賞者は多種・多様の造花フラワー付き植木を観賞することができるとともに植木が高さが５ｍ以下と低いために人が造花フラワーを植木に取付けたり、取外したりすることを容易で、かつ、安全に行うことができる。
更に、長期間観賞していると、植木が枝部などが成長した時は、この成長した部分の細い側枝などに新しい造花フラワーを結束具で取付けて補充することができるし、補充した新しい造花フラワー付き植木を観賞者は明るく優美で気持ち良く観賞することができる。【０００８】  請求項２の造花フラワー付き植木は、高さが５ｍ以下の植木の主枝から分かれた細い側枝の先端部と植木の主枝とに、取付用の細い針金を有する綺麗な造花フラワーを、結束具で複数箇所に取り付けた造花フラワー付き植木であるから、観賞者は、造花フラワー付き植木の細い側枝の先端部と植木の主枝とに取付けた造花フラワーと植木の葉とを、より明るく優美な気持ち良く観賞することができる。
このように観賞者がより明るく優美な気持ち良く観賞することができるために、観賞者の要望に対しても応えられるという効果ある。
そして、常緑植物などの植木に水を補給したり、雨水などの水により枯れることなく長期間開花状態を保つことができるために、観賞者は良好な植木を長期間観賞することができるし、実生の植木を育てるという楽しみも味わうこができる。
また、造花フラワーは造花であるために、観賞者などが季節に合わせてたり、好みに合わせために結束具を取外すことにより古い造花フラワーを枝部より取外し、新しい造花フラワーを結束具とともに植木の側枝の先端部と植木の主枝とに、取付けて交換することにより多種・多様の造花フラワー付き植木を観賞者は観賞することができる。
更に、長期間観賞していると、植木の側枝の先端部と主枝が成長した時は、この成長した部分の植木の側枝の先端部と主枝に新しい造花フラワーを結束具で取付けて補充することができるし、補充した新しい造花フラワー付き植木を観賞者は明るく優美な気持ち良く観賞することができる。【０００９】  請求項３の造花フラワー付き植木は、高さが５ｍ以下の植木の主枝から分かれた細い側枝の先端部と植木の主枝と植木の幹部とに、
取付用の細い針金を有する綺麗な造花フラワーを、結束具で複数箇所に取り付けた造花フラワー付き植木であるから、観賞者は、植木の側枝の先端部と主枝と幹部に取付けた造花フラワーと植木の葉とを、より明るく優美な気持ち良く観賞することができるし、このように観賞者がより明るく優美で気持ち良く観賞することができるために、観賞者の要望に対しても応えられるという効果ある。
そして、常緑植物などの植木に水を補給したり、雨水などの水により枯れることなく長期間開花状態を保つことができるために、観賞者は良好な植木を長期間観賞することができるし、実生の植木を育てるという楽しみも味わうこができる。
造花フラワーは造花であるために、観賞者などが季節に合わせてたり、好みに合わせたりなどして結束具を取外すことにより古い造花フラワーを植木から取外し、新しい造花フラワーを結束具とともに植木から取外した各箇所に取付けて交換することにより多種・多様の造花フラワー付き植木を観賞者は観賞することができる。
更に、長期間観賞していると、植木が各枝部と幹部とが成長した時は、この成長した部分の各枝部と幹部の各箇所に新しい造花フラワーを結束具で取付けて補充することができるし、補充した新しい造花フラワー付き植木を観賞者は明るく優美な気持ち良く観賞することができる。
この植木として落葉植木の時は、植木の各枝部などから葉が落下しても、植木に造花フラワーが各枝部と幹部とに取付けてあるので、この多数の造花フラワー付き植木を観賞者は明るく優美な気持ち良く観賞することができる。【００１０】  請求項４の造花フラワー付き植木は、植木に造花フラワーを着脱自在に取り付ける結束具として縄又は紐を使用するから、縄又は紐の結束具は形状を容易に変形することができるために、この縄又は紐で、植木に造花フラワーを、希望する位置に容易に取付けることができるし、観賞者は、所定の位置に取付けた造花フラワーと、植木の常緑植木の葉又は落葉前の落葉前の落葉植木の葉とを、より明るく優美な気持ち良く観賞することができる。
そして、結束具として周囲を着色した細い縄又は紐として例えば葉と同じ緑色に着色した細い縄又は紐を使用するすることにより、植木全体を気持ち良く観賞することができる。【００１１】  請求項５の造花フラワー付き植木は、植木に造花フラワーを着脱自在に取り付ける結束具として細い針金線又は周囲を着色した細い針金線を使用するから、細い針金線の結束具は形状を容易に変形することができるできるために、この細い針金線で、植木に造花フラワーを、希望する位置に容易に取付けることができるし、観賞者は、所定の位置に取付けた造花フラワーと、植木の常緑植木の葉又は落葉前の落葉前の落葉植木の葉とを、より明るく優美で気持ち良く観賞することができる。
そして、結束具として周囲を着色した細い針金線として例えば葉と同じ緑色に着色した細い針金線を使用するすることにより、植木全体を気持ち良く観賞することができる。【００１２】  請求項６の造花フラワー付き植木は、植木に造花フラワーを着脱自在に取り付ける結束具として黄金色などに着色した金属製薄い帯状の結束帯を使用するから、金属製薄い帯状の結束帯の結束具は形状を容易に変形することができるできるために、この帯状の結束帯で、植木に造花フラワーを、希望する位置に容易に取付けることができるし、観賞者は、所定の位置に取付けた造花フラワーと、植木の常緑植木の葉又は落葉前の落葉植木の葉とを、より明るく優美で気持ち良く観賞することができる。
そして、結束具として黄金色の結束帯を使用したために、植木の全体を気持ち良く観賞することができる。【００１３】
【図面の簡単な説明】
【００１４】
【図１】  第１考案品の正面図である
【図２】  同じく１部の正面図である
【図３】  第２考案品の正面図である
【図４】  第３考案品の正面図である
【図５】  第１従来品の正面図である
【図６】  第２従来品の正面図である
【考案を実施するための形態】
【００１５】  造花フラワー付き植木は、高さが５ｍ以下の植木の主枝から分かれた細い側枝の先端部などに、取付用の細い針金を有する綺麗な造花フラワーを、結束具で取り付けた造花フラワー付き植木である。
【実施例１】
【００１６】  実施例１の造花フラワー付き植木１は、図１に図示のように、高さが５ｍの常緑植木２を土地に人工的に植えて、この植木の主枝から分かれた細い側枝の先端部３に、図２に図示の１端に取付用の細い針金５を有する綺麗な造花フラワー４の取付用の細い針金５を、縄の結束具６で取り付けた造花フラワー付き植木である。【００１７】  この実施例１の造花フラワー付き植木１において、図２図示の綺麗な赤色に着色した造花フラワー４の１端に取付用細い針金５を有し、この造花フラワーの細い針金を、植木の主枝から分かれた細い側枝の先端部３の約半分に、綺麗な赤色に着色した造花フラワー４１を結束具６で取り付けるとともに残りの約半分に、綺麗な黄色に着色した別の造花フラワー４２を結束具６で取り付けた造花フラワー付き植木が図１に図示してある。
なお、この実施例１では植木の高さを１例として５ｍの植木について説明したが、植木の高さは３ｍなどの高さにしても良い。【００１８】  この実施例１の造花フラワー付き植木１において、使用する結束具の１例として縄であるが、縄に代えて、紐や変形自在の細い針金又周囲を緑色などに着色した変形自在の細い針金や黄金色の金属製薄い帯状のものの結束具を使用することがでる。
なお、植木の高さは５ｍ以下が良く、高さが高過ぎると、植木に造花フラワーを結束することが難しくなるとともに結束時などに危険をともなうので良くないし、観賞者が見る目線の高さであるために観賞し易い。
【実施例２】
【００１９】  実施例２の造花フラワー付き植木１１は、図３に図示のように、高さが５ｍの常緑植木１２を土地に人工的に植えて、この植木の主枝から分かれた細い側枝の先端部１３の約半分に、綺麗な赤色に着色した造花フラワー１４１を結束具１６で取り付けるとともに残りの約半分に、綺麗な黄色に着色した別の造花フラワー１４２を結束具１６で取り付け、植木の主枝１７に綺麗な紫色に着色した造花フラワー１４３を結束具１６で取り付けた造花フラワー付き植木である。
なお、造花フラワ−の着色の色は、赤、黄、紫、青、白、ピンクなどの任意の色に着色した造花フラワーを使用すると良い。
【実施例３】
【００２０】  実施例３の造花フラワー付き植木２１は、図４に図示のように、高さが５ｍ以下の落葉植木２２を土地に人工的に植えて、この植木の主枝から分かれた細い側枝の先端部２３の約半分に、綺麗な赤色に着色した造花フラワー２４１を結束具２６で取り付けるとともに残りの約半分に、綺麗な黄色に着色した別の造花フラワー２４２を結束具２６で取り付け、植木の主枝２７に綺麗な紫色に着色した造花フラワー２４３を結束具２６で取り付ける。
更に、植木の幹部２８に綺麗な青色に着色した造花フラワー２４４を結束具２６で取り付けた造花フラワー付き植木である。
なお、造花フラワーの着色の色は、赤、黄、紫、青、白、ピンクなどの任意の色に着色した造花フラワーを使用すると良い。
【産業上の利用可能性】
【００２１】  この考案の造花フラワー付き植木は、産業上の観賞植物業界に新しい需要を発生させる可能性があるために、この商品を生産する業界及び流通する業界などの発展に寄与することができるという可能性がある。
【符号の説明】
【００２２】      １  造花フラワー付き植木
２  高さ５ｍ以下の常緑植木
３  細い側枝の先端部
４  造花フラワー
５  取付用の細い針金
６  結束具
【図１】
0003206374.tif 000003
【図２】
0003206374.tif 000004
【図３】
0003206374.tif 000005
【図４】
0003206374.tif 000006
【図５】
0003206374.tif 000007
【図６】
0003206374.tif 000008